(57)【要約】【課題】布を乾燥した空気をタブの内部で凝縮することで、タブ及びドラムの容積を増加するか、全体の大きさ及び流路抵抗を最小化することで、乾燥効率を向上するとともに、乾燥時間を短縮できる洗濯乾燥機及び乾燥機を提供する。【解決手段】キャビネットに設置されたタブと、前記タブの内側に配置されて布を収容するドラムと、前記タブの一側に冷却水を供給する冷却水供給装置と、前記タブの内壁に設置され、布を乾燥した空気の水分を凝縮する凝縮板とを含んで構成され、前記タブの一側に供給された冷却水が前記タブの内壁と前記凝縮板との間に流れる洗濯乾燥機及び乾燥機を構成する。【選択図】図３
2006212418.tif 000002
【特許請求の範囲】
【請求項１】
キャビネットに設置されたタブと、
前記タブの内側に配置されて布を収容するドラムと、
前記タブの一側に冷却水を供給する冷却水供給装置と、
前記タブの内壁に設置され、布を乾燥した空気の水分を凝縮する凝縮板とを含んで構成され、
前記タブの一側に供給された冷却水が前記タブの内壁と前記凝縮板との間に流れることを特徴とする洗濯乾燥機及び乾燥機。
【請求項２】
前記凝縮板は、前記タブの内壁との間に冷却水通路を形成していることを特徴とする請求項１に記載の洗濯乾燥機及び乾燥機。
【請求項３】
前記凝縮板は、先端及び後端が前記タブの内壁に接するように屈曲していることを特徴とする請求項２に記載の洗濯乾燥機及び乾燥機。
【請求項４】
前記タブには、前記凝縮板をねじ留めするためのボスが形成されることを特徴とする請求項１に記載の洗濯乾燥機及び乾燥機。
【請求項５】
前記凝縮板は、前記タブの一側に供給された冷却水が前記凝縮板とタブの内壁との間で自由落下するように、前記タブの内壁と所定間隔以上の隙間を維持していることを特徴とする請求項１に記載の洗濯乾燥機及び乾燥機。
【請求項６】
前記凝縮板は、前記タブの一側に供給された冷却水が前記凝縮板とタブの内壁との間に表面張力によって溜まり、前記溜まった冷却水が、前記凝縮板とタブの内壁との間に流入される新しい冷却水と一緒に排水されるように、前記タブの内壁と所定間隔未満の隙間を維持していることを特徴とする請求項１に記載の洗濯乾燥機及び乾燥機。
【請求項７】
前記凝縮板には、凝縮板を均一に冷却した冷却水を排水するための冷却水ガイドが形成されていることを特徴とする請求項１に記載の洗濯乾燥機及び乾燥機。
【請求項８】
前記冷却水ガイドは、冷却水をジグザグ状に案内するように形成されていることを特徴とする請求項７に記載の洗濯乾燥機及び乾燥機。
【請求項９】
前記冷却水ガイドは、前記凝縮板の先端から後方に下方傾斜して形成され、下端が前記凝縮板の後端と離隔した前方側冷却水ガイドと、
前記凝縮板の後端から前方に下方傾斜して形成され、下端が前記凝縮板の先端と離隔した後方側冷却水ガイドとを含むことを特徴とする請求項８に記載の洗濯乾燥機及び乾燥機。
【請求項１０】
前記凝縮板には、エンボスが形成されていることを特徴とする請求項１に記載の洗濯乾燥機及び乾燥機。
【発明の詳細な説明】
【技術分野】
【０００１】
本発明は、洗濯乾燥機及び乾燥機に関するもので、詳しくは、布を乾燥した湿空気をタブの内部で凝縮できる洗濯乾燥機及び乾燥機に関するものである。
【背景技術】
【０００２】
一般に、衣類乾燥装置は、衣類など(以下、‘布’と称する)を乾燥する機器であって、機能別に分類すると、洗濯機能及び乾燥機能を兼ね備えた洗濯乾燥機と、乾燥機能のみを備えた乾燥機と、に区分される。
【０００３】
図１は、従来の洗濯乾燥機を示した縦断面図である。
従来の洗濯乾燥機は、図１に示すように、キャビネット２と、このキャビネット２の内部に装着されて洗濯水を収容するタブ１０と、このタブ１０の内部に回転自在に設置されて布ｍを収容するドラム２０と、このドラム２０を支持かつ回転するモーター３０と、を含んで構成される。
【０００４】
前記キャビネット２の前面には、布ｍを出し入れするための布出し入れホール３が形成され、この布出し入れホール３を開閉するためのドア４が装着される。
【０００５】
前記ドア４は、前記キャビネット２に回動自在に連結されたドアフレーム４ａと、このドアフレーム４ａに装着され、後方に向かって凸状に形成されたドアガラス４ｂと、から構成される。
【０００６】
前記タブ１０は、前記キャビネット２の上部に連結されたスプリング５に懸架されるように連結され、前記キャビネット２の下部に装着されたダンパー６によって緩衝可能に支持される。
【０００７】
前記タブ１０には、外部から給水される洗濯水を前記タブ１０内に供給する給水装置１２が連結され、かつ前記タブ１０内の洗濯水を外部に排水する排水装置１４が連結される。
【０００８】
前記タブ１０には、前面中央に布ｍ及び空気を出し入れするための開口ホール部１５が形成される。また、前記ドア４の閉鎖時、前記タブ１０と前記ドア４との間に布ｍ、洗濯水及び空気が流出することを防止するために、ガスケット１６が前記ドア４に密着される。
【０００９】
前記ドラム２０は、前面中央に布ｍ及び空気を出し入れするための開口ホール部２１が形成され、周り部や背面部に洗濯水及び空気を出し入れするための通孔２２が形成される。
【００１０】
前記ドラム２０の内壁には、前記布ｍや洗濯水を上側に持ち上げてから落下するリフター２３が設置される。
【００１１】
前記モーター３０は、前記タブ１０を貫通して前記タブ１０にベアリングによって支持される回転軸を備えており、この回転軸の先端が前記ドラム２０の背面側に連結される。
【００１２】
一方、前記洗濯乾燥機は、前記ドラム２０内に熱風を供給するための循環ファン４１及びヒーター４２が設置された乾燥ダクト４３と、前記ドラム２０内の布ｍを乾燥しながら多湿に変わった湿空気を凝縮するとともに、この凝縮された空気を前記乾燥ダクト４３に案内する凝縮器４６と、をさらに含んで構成される。
【００１３】
前記乾燥ダクト４３には、前記循環ファン４１を回転するためのファンモーター４４が装着される。
【００１４】
前記乾燥ダクト４３は、出口端が前記ガスケット１６に形成された乾燥ダクト連結口１８に内挿または外挿されることにより、前記乾燥ダクト連結口１８に固定される。
【００１５】
前記凝縮器４６は、前記タブ１０の側部または背面部に連結されて前記タブ１０内の空気を通過させる凝縮ダクト４７と、この凝縮ダクト４７を通過する空気が冷却水に熱を奪われて凝縮するように、前記凝縮ダクト４７内に冷却水を供給する冷却水供給装置４８と、を含んで構成される。
【００１６】
前記凝縮ダクト４７は、下端が前記タブ１０の側部または背面部に直角に連結され、上端が前記乾燥ダクト４３に連結される。また、前記凝縮ダクト４７は、前記タブ１０とキャビネット２との間に垂直に配置されるか、または傾斜して配置される。
【００１７】
以下、上記のように構成された従来の洗濯乾燥機の動作を説明する。
まず、前記ドラム２０内に布ｍを投入した後、ドア４を閉じて洗濯機を作動すると、洗濯行程が選択された場合、前記給水装置１２を通して洗濯水が給水される。
【００１８】
給水された洗濯水は、前記タブ１０内に供給された後、前記ドラム２０の通孔２２を通してドラム２０内に流入されて布ｍを濡らす。
【００１９】
上記の給水が行われた後、前記モーター３０が駆動されると、前記ドラム２０の回転によって前記ドラム２０内の布ｍが揺れ動くことで、布ｍと洗濯水との作用によって汚染物質が取り除かれる。
【００２０】
上記の洗濯行程の終了後、タブ１０内の汚染された洗濯水は、排水装置１４を通して洗濯乾燥機の外部に排水される。
【００２１】
一方、濯ぎ行程が選択された場合、布ｍに残った泡を濯ぐための濯ぎ行程が複数回行われるが、洗濯行程と同様に、給水装置１２及びモーター３０を制御して布ｍに残った泡を濯ぎ、泡を含む汚染水は、排水装置１４を通して洗濯乾燥機の外部に排水される。
【００２２】
その後、脱水行程が選択された場合、前記モーター３０を制御して前記ドラム２０を高速回転し、前記ドラム２０内の布ｍが前記ドラム２０の内壁に密着することで、布ｍの水気が遠心脱水される。
【００２３】
その後、乾燥行程が選択される場合、前記モーター３０の駆動によって前記ドラム２０及び循環ファン４１を回転し、前記ヒーター４２をオンにし、冷却水が前記冷却水供給装置４８を通して供給される。
【００２４】
前記凝縮ダクト４７の内部には、前記冷却水供給装置４８を通して冷却水が流れ、前記ドラム２０内で布ｍを乾燥した低温多湿の空気は、前記循環ファン４１の回転によって前記ドラム２０の通孔２２及びタブ１０を通して前記凝縮ダクト４７に吸入され、前記凝縮ダクト４７を通過しながら冷却水によって凝縮される。
【００２５】
前記凝縮ダクト４７を通過した空気は、前記乾燥ダクト４３を通過しながら前記ヒーター４２によって加熱されて熱風に変わる。また、この熱風は、前記ガスケット１６の乾燥装置連結口１８を通過して前記ガスケット１６の内側に吐出され、前記ドア４のドアガラス４ｂにぶつかった後、前記ドラム２０に向かって送風される。その後、熱風は、前記布ｍを乾燥しながら低温多湿の空気に変わる。
【００２６】
しかしながら、従来の洗濯乾燥機及び乾燥機は、凝縮ダクト４７の占める空間だけタブ１０及びドラム２０の容積が減少するか、または、キャビネット２の大きさが増加し、前記凝縮ダクト４７による流路抵抗が全体抵抗の３０％〜５０％程度に増加するという問題点があった。
【００２７】
また、前記凝縮ダクト４７に供給された冷却水が前記凝縮ダクト４７を迅速に通過するので、凝縮効率が低下し、かつ、多量の冷却水が消費されるという問題点があった。
【発明の開示】
【発明が解決しようとする課題】
【００２８】
本発明は、上記の問題を解決するためになされたものであり、布を乾燥した空気をタブの内部で凝縮することによって、タブ及びドラムの容積を増加するか、全体の大きさ及び流路抵抗を最小化することによって、乾燥効率を向上するとともに、乾燥時間を短縮できる洗濯乾燥機及び乾燥機を提供することを目的とする。
【課題を解決するための手段】
【００２９】
上記の目的を達成するために、本発明による洗濯乾燥機及び乾燥機は、キャビネットに設置されたタブと、前記タブの内側に配置されて布を収容するドラムと、前記タブの一側に冷却水を供給する冷却水供給装置と、 前記タブの内壁に設置されかつ布を乾燥した空気の水分を凝縮する凝縮板とを含んで構成され、前記タブの一側に供給された冷却水が前記タブの内壁と前記凝縮板との間に流れることを特徴とする。
【００３０】
好適形態において、前記凝縮板は、前記タブの内壁との間に冷却水通路を形成している。
【００３１】
好適形態において、前記凝縮板は、先端及び後端が前記タブの内壁に接するように屈曲している。
【００３２】
好適形態において、前記タブには、前記凝縮板をねじ留めするためのボスが形成されている。
【００３３】
好適形態において、前記凝縮板は、前記タブの一側に供給された冷却水が前記凝縮板とタブの内壁との間で自由落下するように、前記タブの内壁と所定間隔以上の隙間を維持している。
【００３４】
好適形態において、前記凝縮板は、前記タブの一側に供給された冷却水が前記凝縮板とタブの内壁との間に表面張力によって溜まり、前記溜まった冷却水が、前記凝縮板とタブの内壁との間に流入される新しい冷却水と一緒に排水されるように、前記タブの内壁と所定間隔未満の隙間を維持している。
【００３５】
好適形態において、前記凝縮板には、凝縮板を均一に冷却した冷却水を排水するための冷却水ガイドが形成されている。
【００３６】
好適形態において、前記冷却水ガイドは、冷却水をジグザグ状に案内するように形成されている。
【００３７】
好適形態において、前記冷却水ガイドは、前記凝縮板の先端から後方に下方傾斜して形成され、下端が前記凝縮板の後端と離隔した前方側冷却水ガイドと、前記凝縮板の後端から前方に下方傾斜して形成され、下端が前記凝縮板の先端と離隔した後方側冷却水ガイドとを含む。
【００３８】
好適形態において、前記凝縮板には、エンボスが形成されている。
【発明の効果】
【００３９】
本発明による洗濯乾燥機及び乾燥機は、冷却水供給装置がタブの一側に冷却水を供給するように設置され、タブの内壁に冷却水によって冷却される凝縮板が設置され、布を乾燥した空気がタブの内側で凝縮板によって凝縮される構造であり、タブの外部に別途の凝縮ダクトを設置する必要がないので、タブ及びドラムの容積を増加するか、全体の大きさ及び布を乾燥した空気の流路抵抗を最小化することで、乾燥効率を向上するとともに、乾燥時間を短縮できるという効果を有する。
【００４０】
また、本発明による洗濯乾燥機及び乾燥機は、布を乾燥した空気が所定の面積を有する凝縮板と接触しながら凝縮されるので、多量の空気を迅速に凝縮するとともに、冷却水の消費量を最小化できるという効果を有する。
【００４１】
また、本発明による洗濯乾燥機及び乾燥機は、凝縮板の先端及び後端が前記タブの内壁に接するように屈曲しているため、凝縮板とタブの内壁との間に供給された冷却水が、タブ内の流動空気と混合して飛散することがなく、冷却水の飛散時に発生しうる乾燥効率の低下を防止できるという効果を有する。
【００４２】
また、本発明による洗濯乾燥機及び乾燥機は、タブに凝縮板をねじ留めするためのボスが形成されることにより、凝縮板の設置が容易になるという効果を有する。
【００４３】
また、本発明による洗濯乾燥機及び乾燥機は、タブの一側に供給された冷却水が凝縮板とタブの内壁との間で自由落下するので、多量の冷却水が凝縮板とタブの内壁との間を迅速に通過することにより、空気中の湿気を迅速に凝縮できるという効果を有する。
【００４４】
また、本発明による洗濯乾燥機及び乾燥機は、タブの一側に供給された冷却水が凝縮板とタブの内壁との間に表面張力によって溜まるので、冷却水がタブ内に留まる時間が長くなり、冷却水の消費量を最小化できるという効果を有する。
【００４５】
また、本発明による洗濯乾燥機及び乾燥機は、冷却水を凝縮板とタブの内壁との間にジグザグ状に案内する冷却水ガイドが形成され、冷却水が凝縮板全体を均一に冷却するので、湿気を凝縮板全体に均一にかつ一層迅速に凝縮できるという効果を有する。
【００４６】
また、本発明による洗濯乾燥機及び乾燥機は、凝縮板にエンボスが形成されていることにより、凝縮板の熱伝逹性能を向上し、多量の湿気を迅速に凝縮できるという効果を有する。
【発明を実施するための最良の形態】
【００４７】
以下、本発明の実施形態を図面に基づいて説明する。本実施形態を説明するにおいて、従来と同一の構成には同一名称及び符号を付し、それに対する付加的な説明は省略する。
【００４８】
図２は本発明による洗濯乾燥機及び乾燥機の一実施形態を示した一部切欠斜視図、図３は本発明による洗濯乾燥機及び乾燥機の一実施形態を示した横断面図、かつ図４は図２及び図３に示したタブの拡大斜視図である。
【００４９】
本実施形態による洗濯乾燥機及び乾燥機は、図２及び図３に示すように、キャビネット２の内部にタブ５０が設置され、このタブ５０の内側に布を収容するドラム２０が回転自在に配置される。
【００５０】
前記タブ５０には、図４に示すように、前面中央に開口ホール５１が形成され、周辺の上部の左右一側にダクト連通口５２が突出形成される。
前記ダクト連通口５２は、図３に示すように、前記タブ５０とドラム２０との間で前記ダクト連通口５２に流入する空気の抵抗を最小化するために、前記タブ５０の周辺に対して接線方向に形成されることが好ましい。
【００５１】
前記ダクト連通口５２には、図３及び図４に示すように、循環ファン４１及びヒーター４２を内蔵した乾燥ダクト４３が直接連結される。
【００５２】
前記乾燥ダクト４３は、前面部４３ａが下部で屈曲し、その前面部４３ａの下端が、従来技術と同様に、ガスケット１６に形成された乾燥ダクト連結口に連結されることにより、前記ヒーター４２によって加熱された空気をガスケット１６の乾燥ダクト連結口を通して供給することができる。また、前記乾燥ダクト４３は、前記タブ５０の前面側上部に形成された第２ダクト連通口５３に連通することで、前記ヒーター４２によって加熱された空気を前記タブ５０の内部に直接供給することができる。また、前記乾燥ダクト４３は、図４に示すように、前記第２ダクト連通口５３に設置された連結ダクト４３ｂに連通することで、前記ヒーター４２によって加熱された空気を前記連結ダクト４３ｂを通して供給することもできる。
【００５３】
前記タブ５０には、前記タブ５０の一側に冷却水Ｃを供給する冷却水供給装置６０が連結される。
【００５４】
前記タブ５０には、図３及び図４に示すように、前記冷却水供給装置６０を通して供給される冷却水Ｃが前記タブ５０の内部に流入するように、一側に冷却水供給ホール部５４が形成され、かつ前記冷却水供給装置６０は前記冷却水供給ホール部５４に連通する。
【００５５】
前記冷却水供給ホール部５４は、前記ダクト連通口５２の周辺に形成される。
【００５６】
前記冷却水供給装置６０は、図３に示すように、外部ホース６１に連結されて外部ホース６１を通して供給される冷却水Ｃを調節する冷却水バルブ６２と、この冷却水バルブ６２を通過した冷却水Ｃを前記タブ５０の一側、特に、前記冷却水供給ホール部５４に案内する冷却水ホース６３と、を含む。
【００５７】
前記タブ５０の内側には、布ｍを乾燥した空気Ａの水分を凝縮する凝縮板７０が設置される。また、前記タブ５０の一側に供給された冷却水Ｃが前記タブ５０の内壁と前記凝縮板７０との間に流れるように、前記凝縮板７０は、前記タブ５０の内壁に設置される。
【００５８】
前記凝縮板７０は、前記凝縮板７０によって凝縮された空気が前記ダクト連通口５２に直ちに流入するように、前記ダクト連通口５２の下側内壁面に設置されることが好ましい。
【００５９】
また、前記凝縮板７０は、前記冷却水供給ホール部５４の下側に位置するように設置されるか、または、前記冷却水供給ホール部５４の側部に位置するように設置されるが、ここでは、前記冷却水供給ホール部５４の下側に位置するように設置される場合に限定して説明する。
【００６０】
前記凝縮板７０は、図４に示すように、上端が前記冷却水供給ホール部５４の下側に位置し、下端が前記タブ５０の内側下部の所定位置に位置するように所定の高さＨを有する。
【００６１】
前記凝縮板７０は、図４に示すように、前端が前記ダクト連通口５２よりも前方側に位置し、後端が前記ダクト連通口５２よりも後方側に位置するように所定の幅Ｌを有する。
【００６２】
前記凝縮板７０は、図２及び図３に示すように、前記タブ５０の内壁と同じく円形に形成された曲面板体であって、前記タブ５０の内壁よりも大きいか小さい曲率半径、または、前記タブ５０の内壁と同一の曲率半径を有するが、ここでは、前記タブ５０の内壁と同一の曲率半径を有する場合に限定して説明する。
【００６３】
前記凝縮板７０の下端には、前記タブ５０の内壁と離隔した冷却水排出口７２が形成される。
【００６４】
前記凝縮板７０と前記タブ５０の内壁との間には、冷却水通路７３が形成される。
【００６５】
図５は、図３の凝縮板を拡大して示した斜視図である。
前記凝縮板７０は、図３ないし図５に示すように、前記凝縮板７０とタブ５０の内壁との間に案内される凝縮水が、タブ５０内の流動空気と混合して飛散しないように、先端に前記タブ５０の内壁に接する先端屈曲部７４が形成され、後端に前記タブ５０の内壁に接する後端屈曲部７５が形成される。
【００６６】
前記先端屈曲部７４及び後端屈曲部７５は、プレスによって屈曲される。
【００６７】
ここで、前記凝縮板７０は、前記凝縮板７０とタブ５０との間の間隔ｔ(式１)によって、自由落下構造及び表面張力を用いた構造を有する。
【００６８】
前記自由落下構造は、前記タブ５０の内壁と凝縮板７０とが所定間隔以上の隙間ｔを有しかつ冷却水が前記凝縮板７０とタブ５０の内壁との間で重力方向に流れることであり、前記表面張力を用いた構造は、前記タブ５０の内壁と凝縮板７０とが所定間隔未満の隙間ｔを有することで、冷却水が前記凝縮板７０とタブ５０の内壁との間で表面張力によって溜まり、この溜まった冷却水が、凝縮板７０とタブ５０の内壁との間に流入する新しい冷却水Ｃと一緒に流れることである。
【００６９】
【数１】
2006212418.tif 000003
【００７０】
上式中、rは、表面張力常数(０．０７３)で、ρは、水の密度で、gは、重力係数で、ｈは、凝縮板の縦長さで、ｔは、タブと凝縮板との間隔である。
【００７１】
ここで、前記ｘが０．５を超えると、前記凝縮板７０とタブ５０との間の冷却水Ｃが自由落下構造を有し、前記ｘが０〜０．５の範囲であると、前記凝縮板７０とタブ５０との間の冷却水Ｃが表面張力を用いた構造を有する。
【００７２】
一方、前記凝縮板７０には、凝縮板７０を均一に冷却した冷却水Ｃを排水するための冷却水ガイド７６，７７が形成される。
【００７３】
前記冷却水ガイド７６，７７は、前記タブ５０の内壁と対向する前記凝縮板７０の一側面に形成され、前記タブ５０の内壁に向かって突出される。
【００７４】
前記冷却水ガイド７６，７７は、前記タブ５０の内壁と接するように前記隙間ｔだけの突出幅を有する。
【００７５】
前記冷却水ガイド７６，７７は、冷却水Ｃが前記凝縮板７０とタブ５０の内壁との間で長時間留まるようにし、冷却水Ｃと凝縮板７０全体との熱交換を可能にするもので、冷却水Ｃをジグザグ状に案内するように形成されることが最も好ましい。
【００７６】
前記冷却水ガイド７６，７７は、前記凝縮板７０の先端屈曲部７４から後方に下方傾斜して形成され、下端が前記凝縮板７０の後端屈曲部７５と離隔した前方側冷却水ガイド７６と、前記凝縮板７０の後端屈曲部７５から前方に下方傾斜して形成され、下端が前記凝縮板７０の先端屈曲部７４と離隔した後方側冷却水ガイド７７と、から構成される。
【００７７】
前記前方側冷却水ガイド７６及び後方側冷却水ガイド７７は、複数個が互いに垂直に離隔して形成される。
【００７８】
前記前方側冷却水ガイド７６及び後方側冷却水ガイド７７は、垂直方向に一部重なるように交互に形成される。
【００７９】
前記凝縮板７０には、前記凝縮板７０による熱伝逹性能を向上するためのエンボス７８が形成される。
【００８０】
前記エンボス７８は、前記タブ５０の中央方向に向かって突出するか、または、前記タブ５０の内壁方向に向かって突出するか、または、一部が内側方向に向かって突出し、残りが外側方向に向かって突出する。
【００８１】
一方、前記凝縮板７０は、前記タブ５０にねじ７９で締結される。
【００８２】
前記凝縮板７０には、前記ねじ７９を締結させる締結孔を備えたボス８０が前記タブ５０の内壁に向かって突出し、前記タブ５０には、前記凝縮板７０に形成されたボス８０の締結孔に対応する締結孔を備えたボス５５が突設される。
【００８３】
以下、上記のように構成された本発明の動作を説明する。
【００８４】
本実施形態による洗濯乾燥機及び乾燥機は、前記冷却水バルブ６２がオンになると、外部ホース６１を通して供給される冷却水Ｃが、前記冷却水バルブ６２及び冷却水ホース６３を順に通過して前記冷却水供給ホール部５４に供給される。
【００８５】
前記冷却水供給ホール部５４に供給された冷却水Ｃは、下側に流れて前記凝縮板７０とタブ５０の内壁との間に流入することで、前記凝縮板７０とタブ５０の内壁との間を通過するようになる。
【００８６】
前記凝縮板７０とタブ５０の内壁との間を通過する冷却水Ｃは、前記冷却水ガイド７６，７７によってジグザグ状に流れながら前記凝縮板７０全体の熱を奪い、前記冷却水排出口７２を通して前記凝縮板７０の下側に排出され、前記タブ５０の内側下部に集まった後に排水装置１４を通して外部に排水される。
【００８７】
一方、上記のような冷却水Ｃの供給とともに、前記ドラム２０が回転すると、前記ドラム２０内の布ｍが前記ドラム２０の内部で揺れ動くが、このとき、前記循環ファン４１が回転すると、前記ドラム２０内の空気Ａは、前記循環ファン４１の回転による送風圧によってドラム２０の通孔２２に向かって移動する。
【００８８】
前記ドラム２０の通孔２２に向かって移動される空気Ａは、前記布ｍと接触して布ｍと熱/物質を交換しながら低温多湿な湿空気に変わり、その後、前記ドラム２０の通孔２２を通過して前記ドラム２０とタブ５０との間に移動する。
【００８９】
前記湿空気は、前記冷却水Ｃによって冷却された凝縮板７０の側部を通過しながら前記凝縮板７０に熱を奪われることで、水分が凝縮板７０に凝縮されて低湿の空気に変わる。
【００９０】
前記低湿の空気は、前記ダクト連通口５２及び循環ファン４２を通過して前記乾燥ダクト４３に送風され、前記乾燥ダクト４３を通過しながら前記ヒーター４２によって加熱されて高温低湿の空気に変わる。
【００９１】
前記高温低湿の空気は、前記タブ５０を通過して前記ドラム２０の内部に供給された後、上記の乾燥/凝縮/加熱を繰り返しながら布ｍを持続的に乾燥する。
【００９２】
一方、前記凝縮板７０の表面に凝縮された凝縮水(図示せず)は、前記凝縮板７０に沿って下側に流れ、前記タブ５０の内側下部に集まった冷却水Ｃと一緒に外部に排水される。
【図面の簡単な説明】
【００９３】
【図１】従来の洗濯乾燥機の一例を示した縦断面図である。
【図２】本発明による洗濯乾燥機及び乾燥機の一実施形態を示した一部切欠斜視図である。
【図３】本発明による洗濯乾燥機及び乾燥機の一実施形態を示した横断面図である。
【図４】図２及び図３に示したタブを拡大して示した斜視図である。
【図５】図３の凝縮板を拡大して示した斜視図である。
【符号の説明】
【００９４】
５０    タブ
５２    ダクト連通口
５３    第２ダクト連通口
５４    冷却水供給ホール部
６０    冷却水供給装置
６１    外部ホース
６２    冷却水バルブ
６３    冷却水ホース
７０    凝縮板
７２    冷却水排出口
７３    冷却水通路
７４    先端屈曲部
７５    後端屈曲部
７６    前方側冷却水ガイド
７７    後方側冷却水ガイド
７８    エンボス
Ａ    空気
Ｃ    冷却水
Ｈ    凝縮板の高さ
Ｌ    凝縮板の幅
ｔ    タブの内壁と凝縮板との間の隙間
【図１】
2006212418.tif 000004
【図２】
2006212418.tif 000005
【図３】
2006212418.tif 000006
【図４】
2006212418.tif 000007
【図５】
2006212418.tif 000008